(57)【特許請求の範囲】
【請求項１】
無線通信システムにおける制御チャネルのパワー制御のための方法であって、
物理ダウンリンク制御チャネル（ＰＤＣＣＨ）の共通の探索空間内で第１のスケジューリングデータを第１の送信パワーで送信すること、および
前記ＰＤＣＣＨの特定の探索空間内で第２のスケジューリングデータを第２の送信パワーで送信することを備え、
前記第１の送信パワーで送信することに先だって、１つまたは複数の第１の基準に基づいて、前記第１の送信パワーの大きさを決定すること、および
前記第２の送信パワーで送信することに先だって、前記第１の基準とは独立の１つまたは複数の第２の基準に基づいて、前記第２の送信パワーの大きさＰｉを決定することをさらに備え、
前記第２のスケジューリングデータが関連する特定のユーザ機器（ＵＥ）からチャネル品質指標（ＣＱＩ）を受信することをさらに備え、
基地局は、前記第１のスケジューリングデータおよび前記第２のスケジューリングデータを送信するように構成され、
前記１つまたは複数の第１の基準は、前記基地局の環境、前記基地局のカバレッジ半径、または前記基地局のカバレッジ要件のうちの少なくとも１つを含み、
前記１つまたは複数の第２の基準は、前記受信されるＣＱＩを含む、方法。
【請求項２】
前記第１の送信パワーの前記大きさを決定することは、
前記受信機の復調能力に基づいて、受信機目標信号対雑音比（ＳＮＲ）を決定すること、
前記基地局に関連するセルに関するチャネル伝搬モデルを決定すること、
前記決定されたチャネル伝搬モデルに基づいて、前記セル内のシャドウフェージングおよび高速フェージングの大きさを計算すること、
前記決定されたチャネル伝搬モデル、および前記基地局の前記カバレッジ半径に基づいて、前記セル内のパス損失を計算すること、
前記基地局のアンテナ構成に基づいて、アンテナ利得、ケーブル損失、侵入損失、および人間による消費の損失を計算すること、および
以下の式、すなわち、
Ｐ＝ＳＮＲ＋シャドウフェージング＋高速フェージング＋パス損失−アンテナ利得＋ケーブル損失＋侵入損失＋人間の消費による損失＋雑音
に従って前記第１の送信パワーの前記大きさを計算し、ただし、Ｐは、前記第１の送信パワーの前記計算される大きさであり、雑音は、熱雑音および雑音指数を含み、熱雑音は、定数であり、さらに前記雑音指数は、３〜８デシベルの範囲内であることを含む請求項１に記載の方法。
【請求項３】
前記ＵＥは、モバイル電話機、スマートフォン、またはラップトップコンピュータを含む請求項１に記載の方法。
【請求項４】
前記第２の送信パワーの前記大きさＰｉは、前記受信されるＣＱＩの大きさと反比例する請求項１に記載の方法。
【請求項５】
前記受信されるＣＱＩの可能な大きさには、ＣＱＩ０、ＣＱＩ１、ＣＱＩ２、．．．、ＣＱＩＬが含まれ、ただし、ｉ＝１、２、．．．、Ｌに関してＣＱＩｉ−１＜ＣＱＩｉであり、
前記第２の送信パワーの大きさＰｉを決定することは、
前記受信されるＣＱＩをセットＳｉに、以下の定義、すなわち、
Ｓ１：ＣＱＩ∈［ＣＱＩ０、ＣＱＩ１）
Ｓ２：ＣＱＩ∈［ＣＱＩ１、ＣＱＩ２）
．．．
ＳＬ：ＣＱＩ∈［ＣＱＩＬ−１、ＣＱＩＬ］
に従って割り当てること、および
前記割り当てられたセットＳｉに関して、Ｐｉ−１＞Ｐｉであるセット｛Ｐ１、Ｐ２、．．．、ＰＬ｝から前記第２の送信パワーの対応する大きさＰｉを選択することを含む請求項１に記載の方法。
【請求項６】
前記受信されるＣＱＩは、第１の受信されるＣＱＩであり、
前記ＵＥから、前記第１のＣＱＩより高い第２のＣＱＩを受信すること、および
前記第２の送信パワーを低減することをさらに備える請求項１に記載の方法。
【請求項７】
前記受信されるＣＱＩは、第１の受信されるＣＱＩであり、
前記ＵＥから、前記第１のＣＱＩより低い第２のＣＱＩを受信すること、および
前記第２の送信パワーを増加させることをさらに備える請求項１に記載の方法。
【請求項８】
前記第１のスケジューリングデータは、システム情報ブロック（ＳＩＢ）またはページング情報の少なくともいずれかを含む請求項１に記載の方法。
【請求項９】
前記第２のスケジューリングデータは、特定のユーザ機器（ＵＥ）に関連するトラフィックデータを含む請求項１に記載の方法。
【請求項１０】
動作を実行するようにコンピューティングデバイスによって実行可能であるコンピュータ実行可能命令が格納されているコンピュータ可読記憶媒体であって、前記動作は、
基地局において送信に先立って、物理ダウンリンク制御チャネル（ＰＤＣＣＨ）の共通の探索空間内で第１のスケジューリングデータを送信するための第１の送信パワーの大きさを決定すること、および
前記基地局において送信に先立って、特定のユーザ機器（ＵＥ）に関連付けられた前記ＰＤＣＣＨの特定の探索空間内で第２のスケジューリングデータを送信するための第２の送信パワーの大きさを独立に決定することを備え、
前記第１の送信パワーの前記大きさを前記決定することは、前記基地局の環境、前記基地局のカバレッジ半径、または前記基地局のカバレッジ要件のうちの少なくとも１つに基づき、
前記第２の送信パワーの前記大きさを前記決定することは、前記特定のＵＥから受信されるチャネル品質指標（ＣＱＩ）に基づく、コンピュータ可読記憶媒体
【請求項１１】
前記第１の送信パワーの前記大きさを前記決定することは、
前記受信機の復調能力に基づいて、受信機目標信号対雑音比（ＳＮＲ）を決定すること、
前記基地局に関連するセルに関するチャネル伝搬モデルを決定すること、
前記決定されたチャネル伝搬モデルに基づいて、前記セル内のシャドウフェージングおよび高速フェージングの大きさを計算すること、
前記決定されたチャネル伝搬モデル、および前記基地局の前記カバレッジ半径に基づいて、前記セル内のパス損失を計算すること、
前記基地局のアンテナ構成に基づいて、アンテナ利得、ケーブル損失、侵入損失、および人間による消費の損失を計算すること、および
以下の式、すなわち、
Ｐ＝ＳＮＲ＋シャドウフェージング＋高速フェージング＋パス損失−アンテナ利得＋ケーブル損失＋侵入損失＋人間の消費による損失＋雑音
に従って前記第１の送信パワーの前記大きさを計算し、ただし、Ｐは、前記第１の送信パワーの前記計算される大きさであり、雑音は、熱雑音および雑音指数を含み、熱雑音は、定数であり、さらに前記雑音指数は、３〜８デシベルの範囲内であることを含む請求項１０に記載のコンピュータ可読記憶媒体。
【請求項１２】
前記コンピュータ実行可能命令は、前記特定のＵＥによって報告される第１のチャネル品質指標（ＣＱＩ）を受信することを備えるさらなる動作を実行するようにコンピューティングデバイスによって実行可能である請求項１０に記載のコンピュータ可読記憶媒体。
【請求項１３】
前記第１のＣＱＩの可能な大きさには、ＣＱＩ０、ＣＱＩ１、ＣＱＩ２、．．．、ＣＱＩＬが含まれ、ただし、ｉ＝１、２、．．．、Ｌに関してＣＱＩｉ−１＜ＣＱＩｉであり、
前記第２の送信パワーの大きさＰｉを決定することは、
前記受信されるＣＱＩをセットＳｉに、以下の定義、すなわち、
Ｓ１：ＣＱＩ∈［ＣＱＩ０、ＣＱＩ１）
Ｓ２：ＣＱＩ∈［ＣＱＩ１、ＣＱＩ２）
．．．
ＳＬ：ＣＱＩ∈［ＣＱＩＬ−１、ＣＱＩＬ］
に従って割り当てること、および
前記割り当てられたセットＳｉに関して、Ｐｉ−１＞Ｐｉであるセット｛Ｐ１、Ｐ２、．．．、ＰＬ｝から前記第２の送信パワーの対応する大きさＰｉを選択することを含む請求項１２に記載のコンピュータ可読記憶媒体。
【請求項１４】
前記コンピュータ実行可能命令は、
前記特定のＵＥによって報告される第２のＣＱＩを受信し、前記第２のＣＱＩは、前記第１のＣＱＩより高いこと、および
前記第２の送信パワーを低減することを備えるさらなる動作を実行するようにコンピューティングデバイスによって実行可能である請求項１２に記載のコンピュータ可読記憶媒体。
【請求項１５】
前記コンピュータ実行可能命令は、
前記特定のＵＥによって報告される第２のＣＱＩを受信し、前記第２のＣＱＩは、前記第１のＣＱＩより低いこと、および
前記第２の送信パワーを増加させることを備えるさらなる動作を実行するようにコンピューティングデバイスによって実行可能である請求項１２に記載のコンピュータ可読記憶媒体。
【請求項１６】
少なくとも１つの送信機と、
コンピューティングデバイスと、
前記少なくとも１つの送信機を使用しての送信に先立って、物理ダウンリンク制御チャネル（ＰＤＣＣＨ）の共通の探索空間内で第１のスケジューリングデータを送信するための第１の送信パワーの大きさを決定すること、および
前記少なくとも１つの送信機を使用しての送信に先立って、特定のユーザ機器（ＵＥ）に関連付けられた前記ＰＤＣＣＨの特定の探索空間内で第２のスケジューリングデータを送信するための第２の送信パワーの大きさを独立に決定することを備える動作を実行するようにコンピューティングデバイスによって実行可能であるコンピュータ実行可能命令が格納されているコンピュータ可読記憶媒体とを備え、
前記第１の送信パワーの前記大きさを前記決定することは、前記基地局の環境、前記基地局のカバレッジ半径、または前記基地局のカバレッジ要件のうちの少なくとも１つに基づき、
前記第２の送信パワーの前記大きさを前記決定することは、前記特定のＵＥから受信されるチャネル品質指標（ＣＱＩ）に基づく、基地局。
【請求項１７】
前記少なくとも１つの送信機は、
前記ＰＤＣＣＨの前記共通の探索空間内で前記第１のスケジューリングデータを前記第１の送信パワーで送信し、さらに、
前記特定のＵＥに関連付けられた前記ＰＤＣＣＨの前記特定の探索空間内で前記第２のスケジューリングデータを前記第２の送信パワーで送信するように構成される請求項１６に記載の基地局。
【請求項１８】
受信機をさらに備える請求項１６に記載の基地局。
【請求項１９】
前記受信機は、前記特定のＵＥからチャネル品質指標（ＣＱＩ）を受信するように構成され、さらに
前記第２の送信パワーを前記決定することは、前記ＣＱＩの大きさに基づく請求項１８に記載の基地局。
【請求項２０】
前記第２の送信パワーの大きさは、第１の時点で、前記特定のＵＥによって報告される第１のチャネル品質指標（ＣＱＩ）に基づいて決定され、さらに前記第２の送信パワーの大きさは、第２の時点で、前記特定のＵＥによって報告される第２のＣＱＩに基づいて、前記第１の値より大きい第２の値となるように決定され、前記第２のＣＱＩは、前記第１のＣＱＩより低い請求項１６に記載の基地局。
【請求項２１】
前記ＵＥは、モバイル電話機、スマートフォン、またはラップトップコンピュータを含む請求項１６に記載の基地局。
【発明の詳細な説明】
【背景技術】
【０００１】
本明細書で特に明記しない限り、本明細書で説明される題材は、本出願における特許請求の範囲に対する従来技術ではなく、このセクションに含められることによって従来技術と認められるものではない。
【０００２】
現在、一部の無線通信システムにおける基地局は、通常、それぞれの基地局によるサービスを受けるセル内のユーザ機器（ＵＥ）に物理ダウンリンク制御チャネル（ＰＤＣＣＨ）でスケジューリング情報を送信する。各基地局は、各ＰＤＣＣＨにおいて同一のパワーで送信し、このことが、隣接するセル間のＰＤＣＣＨ干渉をもたらす可能性がある。ＰＤＣＣＨ干渉は、ＵＥがＰＤＣＣＨにおけるスケジューリング情報を正しく復号できることを妨げる可能性があり、このことは、セル周辺部近くにおけるＵＥの切り換え成功に悪影響を及ぼす可能性があり、さらに／またはそれ以外でシステムパフォーマンスを低下させる可能性がある。
【発明の概要】
【０００３】
本明細書で説明される技術は、一般に、無線通信システムにおける制御チャネルのパワー制御に関する。
【０００４】
いくつかの例において、無線通信システムにおける制御チャネルのパワー制御のための方法が説明される。この方法は、ＰＤＣＣＨの共通の探索空間内で第１のスケジューリングデータを第１の送信パワーで送信することを含むことが可能である。また、この方法は、ＰＤＣＣＨの特定の探索空間内で第２のスケジューリングデータを第２の送信パワーで送信することを含むことも可能である。
【０００５】
いくつかの例において、動作を実行するようにコンピューティングデバイスによって実行可能であるコンピュータ実行可能命令が格納されているコンピュータ可読記憶媒体が、説明される。これらの動作は、基地局において送信に先立って、ＰＤＣＣＨの共通の探索空間内で第１のスケジューリングデータを送信するための第１の送信パワーの大きさを決定することを含むことが可能である。また、これらの動作は、基地局において送信に先立って、特定のＵＥに関連付けられたＰＤＣＣＨの特定の探索空間内で第２のスケジューリングデータを送信するための第２の送信パワーの大きさを独立に決定することを含むことも可能である。
【０００６】
いくつかの例において、少なくとも１つの送信機と、コンピューティングデバイスと、動作を実行するようにコンピューティングデバイスによって実行可能であるコンピュータ実行可能命令が格納されているコンピュータ可読記憶媒体とを含む基地局が、説明される。これらの動作は、その少なくとも１つの送信機を使用して送信に先立って、ＰＤＣＣＨの共通の探索空間内で第１のスケジューリングデータを送信するための第１の送信パワーの大きさを決定することを含むことが可能である。また、これらの動作は、その少なくとも１つの送信機を使用して送信に先立って、特定のＵＥに関連付けられたＰＤＣＣＨの特定の探索空間内で第２のスケジューリングデータを送信するための第２の送信パワーの大きさを独立に決定することを含むことも可能である。
【０００７】
以上の要約は、例示的なものにすぎず、限定することを意図するものでは全くない。前述した例示的な態様、実施形態、および特徴に加えて、さらなる態様、実施形態、および特徴が、図面および後段の詳細な説明を参照することによって明白となろう。
【図面の簡単な説明】
【０００８】
【図１】本明細書で説明される少なくともいくつかの実施形態により構成された、１つまたは複数の基地局と、１つまたは複数のＵＥとを含む無線通信システムを示す図である。
【図２】本明細書で説明される少なくともいくつかの実施形態により構成された、例示的な基地局およびＵＥを示すブロック図である。
【図３】本明細書で説明される少なくともいくつかの実施形態により構成された、基地局とＵＥとの間のいくつかの例示的な通信フローを示す図である。
【図４】本明細書で説明される少なくともいくつかの実施形態により構成された、ロングタームエボリューション（ＬＴＥ）ネットワークにおいて実施され得るような例示的な無線フレームを示す概略図である。
【図５】本明細書で説明される少なくともいくつかの実施形態により構成された、ダウンリンク無線フレームとして実施され、さらに複数のサブフレームを含む図４の無線フレームを示す概略図である。
【図６】本明細書で説明される少なくともいくつかの実施形態により構成された、図５のサブフレームのうちの１つのサブフレームの制御領域５０１Ａに含められることが可能な制御チャネルを示す図である。
【図７Ａ】本明細書で説明される少なくともいくつかの実施形態により構成された、制御チャネルを構成するためのリソース単位を概略で示す図である。
【図７Ｂ】本明細書で説明される少なくともいくつかの実施形態により構成された、制御チャネルを構成するためのリソース単位を概略で示す図である。
【図８Ａ】本明細書で説明される少なくともいくつかの実施形態により構成された、無線通信システムにおける制御チャネルのパワー制御のための方法を示す例示的な流れ図である。
【図８Ｂ】本明細書で説明される少なくともいくつかの実施形態により構成された、無線通信システムにおける制御チャネルのパワー制御のための別の方法を示す例示的な流れ図である。
【図９】本明細書で説明される少なくともいくつかの実施形態により構成された、ＰＤＣＣＨの共通探索空間内のデータに関する送信パワーの大きさを決定するための方法を示す例示的な流れ図である。
【発明を実施するための形態】
【０００９】
以下の詳細な説明において、本明細書の一部分を形成する添付の図面を参照する。図面では、同様の符号は、別段文脈によって示されない限り、通常、同様の構成要素を識別する。詳細な説明、図面、および特許請求の範囲に記載される例示的な実施形態は、限定することは意図していない。一般に本明細書で提示される主題の趣旨または範囲を逸脱することなく、他の実施形態が利用されることが可能であり、さらに他の変更が行われることが可能である。本明細書で説明され、さらに図に示される本開示の態様は、本明細書ですべて明確に企図される多種多様な異なる構成で構成され得ること、置換され得ること、組み合わされ得ること、分離され得ること、および設計され得ることが容易に理解されよう。
【００１０】
本明細書で開示される一部の実施形態は、一般に、複数のセルを含むＬＴＥシステムなどの無線通信システムにおける制御チャネルのパワー制御に関する。一般に、たとえば、制御チャネルにおけるＵＥ特有のデータの送信パワーが、隣接するセル間の干渉を低減し、さらに／または回避するために、制御チャネルにおける他のデータとは無関係に制御されることが可能である。
【００１１】
一部の実施形態において、その他のデータは、ＰＤＣＣＨの共通の探索空間内で送信されるのに対して、ＵＥ特有のデータは、ＰＤＣＣＨの特定の探索空間内で送信される。ＰＤＣＣＨの共通の探索空間内のデータは、第１の送信パワーで送信されることが可能であるのに対して、ＰＤＣＣＨの特定の探索空間内のデータは、独立に制御される第２の送信パワーで送信されることが可能である。
【００１２】
この特定の探索空間内のデータに関する送信パワーは、基地局とＵＥとの間の通信チャネルに関連する指標に基づいて決定されることが可能である。たとえば、この決定は、基地局によってＵＥから受信されるチャネル品質指標（ＣＱＩ）に基づくことが可能である。ＣＱＩが相対的に高く、基地局とＵＥとの間のチャネル品質が相対的に良好であることを示している場合、ＰＤＣＣＨのその特定の探索空間に関して、ＵＥがＰＤＣＣＨのその特定の探索空間を受信し、さらに適切に復号することを依然として可能にしながら、相対的に低い送信パワーが選択されることが可能である。これに対して、ＣＱＩが相対的に低く、基地局とＵＥとの間のチャネル品質が相対的に劣悪であることを示している場合、ＰＤＣＣＨのその特定の探索空間に関して、その相対的に劣悪なチャネル品質を補償するように相対的に高い送信パワーが選択されることが可能である。ＰＤＣＣＨのその特定の探索空間の送信パワーの制御は、送信パワーが必要に応じて相対的に高いように選択されるに過ぎないので、その結果、隣接するセル間のＰＤＣＣＨ干渉を低減することが可能である。
【００１３】
本明細書で説明される技法は、ＣＤＭＡシステム、ＴＤＭＡシステム、ＦＤＭＡシステム、ＯＦＤＭＡシステム、ＳＣ−ＦＤＭＡシステム、およびその他のシステムなどのさまざまな無線通信システムのために使用されることが可能である。「システム」という用語と「ネットワーク」という用語は、しばしば、互いに区別なく使用される。ＣＤＭＡシステムは、ユニバーサル地上無線アクセス（ＵＴＲＡ）、ｃｄｍａ２０００などの無線技術を実施することが可能である。ＵＴＲＡには、ワイドバンドＣＤＭＡ（ＷＣＤＭＡ（登録商標））、およびＣＤＭＡの他の変種が含まれる。ｃｄｍａ２０００は、ＩＳ−２０００標準、ＩＳ−９５標準、およびＩＳ−８５６標準を範囲に含む。ＴＤＭＡシステムは、グローバルシステムフォーモバイルコミュニケーションズ（ＧＳＭ（登録商標））などの無線技術を実施することが可能である。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（Ｒ）などの無線技術を実施することが可能である。ＵＴＲＡおよびＥ−ＵＴＲＡは、ユニバーサルモバイルテレコミュニケーションシステム（ＵＭＴＳ）の一部である。
【００１４】
３ＧＰＰロングタームエボリューション（ＬＴＥ）は、ダウンリンクでＯＦＤＭＡを用い、アップリンクでＳＣ−ＦＤＭＡを用いる、Ｅ−ＵＴＲＡを使用するＵＭＴＳのリリースである。ＵＴＲＡ、Ｅ−ＵＲＴＡ、ＵＭＴＳ、ＬＴＥ、およびＧＳＭ（登録商標）は、「第３世代パートナーシッププロジェクト」（３ＧＰＰ）という名称の組織からの文書において説明される。ｃｄｍａ２０００およびＵＭＢは、「第３世代パートナーシッププロジェクト２」（３ＧＰＰ２）という名称の組織からの文書において説明される。いくつかの実施形態は、ＬＴＥに関して後段で説明され、さらにＬＴＥ用語が、後段で使用され得る。しかし、開示される実施形態の原理は、ＬＴＥネットワークに限定されない。
【００１５】
図１は、本明細書で説明される少なくともいくつかの実施形態により構成された、１つまたは複数の基地局１０２Ａ〜１０２Ｃ（ひとまとめにして「基地局１０２」）と、１つまたは複数のＵＥ１０４Ａ〜１０４Ｉ（ひとまとめにして「ＵＥ１０４」）とを含む無線通信システム１００の図である。オプションとして、無線通信システム１００は、１つまたは複数の中継ノード１０６をさらに含むことが可能である。
【００１６】
基地局１０２のそれぞれには、基地局トランシーバ（ＢＳＴ）、ノードＢ（ＮＢ）、発展型ノードＢ（ｅＮＢ）など、または以上の任意の組み合わせが含まれることが可能であるが、以上には限定されない。図示される実施形態において、基地局１０２のそれぞれは、マクロセル１０８Ａ〜１０８Ｃ（ひとまとめにして「マクロセル１０８」）に対するマクロ基地局として実施され、さらにそれぞれのマクロセル１０８内のＵＥ１０４にサービスを提供するように構成されることが可能である。簡明のため図示していないが、これらのマクロセル１０８は、縁端部で重なり合うことが可能であり、さらに／または図１に示される全体的に六角形の形状とは異なる形状を有することが可能である。さらに、図示されないものの、無線通信システム１００は、オプションとして、それぞれの１つまたは複数のピコセルのための１つまたは複数のピコ基地局、１つまたは複数のフェムトセルのための１つまたは複数のフェムト基地局などを含むことが可能である。
【００１７】
ＵＥ１０４は、一般に、基地局１０２および／または中継ノード１０６とワイヤレスで通信するように構成され、代替として、またはそれに加えて、端末装置、アクセス端末装置（ＡＴ）、移動局（ＭＳ）、加入者ユニットなどと呼ばれることが可能である。一部の実施形態において、各ＵＥ１０４には、モバイル電話機、スマートフォン、ラップトップコンピュータなど、または以上の任意の組み合わせが含まれることが可能であるが、以上には限定されない。
【００１８】
一般に、中継ノード１０６は、上流の局から、たとえば、基地局１０２Ａからデータの伝送を受信するとともに、下流の局、たとえば、ＵＥ１０４Ｆにデータの伝送を送信するように構成されることが可能である。
【００１９】
一部の実施形態において、ユーザトラフィックデータ、システム情報、およびシステム上位層シグナリングはすべて、共有されるチャネルで伝送される。詳細には、各スケジューリング時間に、対応する基地局１０２が、対応するマクロセル１０８内の複数のＵＥ１０４に共有されるリソースを割り当てるように、所与のマクロセル１０８内のすべてのＵＥ１０４が、システムリソースを共有することが可能である。共有されるリソース割当ての戦略を完了した後、基地局１０２は、物理ダウンリンク制御チャネル（ＰＤＣＣＨ）で、スケジュールされたＵＥ１０４に、関係のあるスケジューリング情報を送信することが可能である。このスケジューリング情報には、スケジュールされたＵＥ１０４に関する周波数リソースのロケーション、割り当てられたリソースブロックのサイズ、採用された変調モードおよび復号モードなど、または以上の任意の組み合わせが含まれるが、以上には限定されない。
【００２０】
ＵＥ１０４が、ＰＤＣＣＨを受信し、さらにＰＤＣＣＨにロードされたスケジューリング情報を正しく復号した後、ＵＥ１０４は、ダウンリンクトラフィックチャネルでユーザトラフィックデータを受信すること、またはアップリンクの共有されるトラフィックチャネルでアップリンクトラフィックデータを送信することができる可能性がある。ＵＥ１０４が、ＰＤＣＣＨにおけるスケジューリング情報を正しく受信することができない場合、ＵＥ１０４は、対応するトラフィックチャネルでユーザトラフィックデータを受信すること、または送信することができない可能性がある。このため、ＰＤＣＣＨのパフォーマンスが保証され得ない場合、システムリソースが、浪費される可能性があり、さらに／またはＵＥ１０４のユーザに対するサービス品質（ＱｏＳ）が、満足できるものではない可能性がある。
【００２１】
一般に、ＰＤＣＣＨの送信パワーが大きいほど、ＵＥ１０４が、ＰＤＣＣＨにおけるスケジューリング情報を正しく受信することができる尤度が高くなる。しかし、ＰＤＣＣＨの送信パワーが大き過ぎる場合、そのＰＤＣＣＨは、隣接するマクロセル１０８内のＰＤＣＣＨに干渉する可能性がある。たとえば、基地局１０２Ａによって送信されるＰＤＣＣＨの送信パワーが大き過ぎる場合、そのＰＤＣＣＨは、マクロセル１０８Ｂ内のＵＥ１０４Ｄなどにおいて、基地局１０２Ｂによって送信されるＰＤＣＣＨと干渉する可能性がある。
【００２２】
隣接するマクロセル１０８のＰＤＣＣＨ間の同一チャネル干渉は、一部の実施形態においてＰＤＣＣＨ復号の成功を制限する可能性がある。マクロセル１０８Ｂ内のＵＥ１０４Ｄを考慮されたい。ＵＥ１０４Ｄが、マクロセル１０８Ｂの周辺部に接近しつつある場合、ＵＥ１０４Ｄは、マクロセル１０８Ｂ内の基地局１０２Ｂとの通信からマクロセル１０８Ａ内の基地局１０２Ａとの通信に切り換えることを準備する可能性がある。この切り換えは、マクロセル１０８Ｂの周辺部で実行されるため、基地局１０２ＡからのＰＤＣＣＨの送信パワーが大き過ぎる場合、基地局１０２ＡからのＰＤＣＣＨが、この切り換えより前に基地局１０２ＢからのＰＤＣＣＨに干渉して、ＵＥ１０４Ｄが、基地局１０２ＢからのＰＤＣＣＨを正しく復号するのを困難に、または不可能にする可能性がある。このため、一般に、隣接するマクロセル１０８のＰＤＣＣＨ間の同一チャネル干渉は、マクロセル１０８の周辺部近くのＵＥ１０４が、対応するＰＤＣＣＨにおけるスケジューリング情報を正しく復号できることを制限する可能性があり、このことが、１つのマクロセル１０８を離れて別のマクロセル１０８に入るＵＥ１０４の切り換え成功率に悪影響を及ぼし得る。
【００２３】
したがって、本明細書で説明されるいくつかの実施形態は、ＰＤＣＣＨなどの制御チャネルのパワー制御に関する。これら、およびその他の実施形態において、ＰＤＣＣＨの特定の探索空間の送信パワーが、ＰＤＣＣＨの共通の探索空間の送信パワーとは独立に制御されることが可能である。これら、およびその他の実施形態をより詳細に説明することに先立って、或る例示的な基地局およびＵＥが、図２に関連してまず説明され、ＬＴＥ無線技術のさまざまな態様が、図３〜図７Ｂに関連して、その後、説明される。次に、制御チャネルのパワー制御と関係するさまざまな例示的な方法が、図８Ａ〜図９に関連して説明される。
【００２４】
図２は、本明細書で説明される少なくともいくつかの実施形態により構成された、例示的な基地局２００およびＵＥ２０１のブロック図である。図２の基地局２００は、図１の複数の基地局１０２のうちのいずれか１つに対応することが可能である。代替として、またはそれに加えて、ＵＥ２０１は、図１の複数のＵＥ１０４のうちのいずれか１つに対応することが可能である。
【００２５】
図示される実施形態において、基地局２００は、たとえば、データソース２０２と、送信（ＴＸ）データプロセッサ２０４と、ＴＸ多入力多出力（ＭＩＭＯ）プロセッサ２０６と、１つまたは複数のトランシーバ２０８Ａ〜２０８Ｎと、１つまたは複数のアンテナ２１０Ａ〜２１０Ｎと、プロセッサ２１２と、メモリまたは他のコンピュータ可読記憶媒体２１４と、受信（ＲＸ）データプロセッサ２１６と、復調器（Ｄｅｍｏｄ）２１８とを含むことが可能である。トランシーバ２０８Ａ〜２０８Ｎのそれぞれは、送信機（ＴＭＴＲ）と、受信機（ＲＣＶＲ）とを含むことが可能である。
【００２６】
代替として、またはそれに加えて、ＵＥ２０１は、たとえば、データソース２２０と、ＴＸデータプロセッサ２２２と、変調器２２４と、１つまたは複数のトランシーバ２２６Ａ〜２２６Ｎと、１つまたは複数のアンテナ２２８Ａ〜２２８Ｎと、プロセッサ２３０と、メモリまたは他のコンピュータ可読記憶媒体２３２と、ＲＸデータプロセッサ２３４とを含むことが可能である。トランシーバ２２６Ａ〜２２６Ｎのそれぞれは、送信機（ＴＭＴＲ）と、受信機（ＲＣＶＲ）とを含むことが可能である。
【００２７】
図２に示される基地局２００およびＵＥ２０１の構成要素の動作の例示的な実施形態が、次に説明される。基地局２００において、いくつかのデータストリームに関するトラフィックデータが、データソース２０２からＴＸデータプロセッサ２０４に供給されることが可能である。ＴＸデータプロセッサ２０４が、各データストリームに関するトラフィックデータを、そのデータストリームに関して選択された特定の符号化スキームに基づいてフォーマットし、符号化し、さらにインターリーブして、符号化されたデータをもたらすことが可能である。
【００２８】
各データストリームに関する符号化されたデータは、ＯＦＤＭ技法を使用してパイロットデータと多重化されることが可能である。このパイロットデータは、既知の方法で処理され、さらに受信側システムにおいてチャネル応答を推定するのに使用されることが可能な、既知のデータパターンを含むことが可能である。各データストリームに関する多重化されたパイロットと符号化されたデータが、そのデータストリームに関して選択された特定の変調スキーム（たとえば、ＢＰＳＫ、ＱＰＳＫ、Ｍ−ＰＳＫ、またはＭ−ＱＡＭ）に基づいて変調されて（たとえば、シンボルマッピングされて）、変調シンボルをもたらすことが可能である。
【００２９】
各データストリームに関するデータレート、符号化、および変調は、メモリ２１４上に格納されたコンピュータ実行可能命令を実行するプロセッサ２１２によって決定されることが可能である。代替として、またはそれに加えて、プロセッサ２１２が、後段で図８Ａ〜図９に関連して説明される動作のうちの１つまたは複数などの、本明細書で説明されるその他の動作のうちの１つまたは複数を基地局２００に実行させる効果のある、メモリ２１４上、または他のロケーションに格納されたコンピュータ実行可能命令を実行してもよい。メモリ２１４は、プログラムコードなどのコンピュータ実行可能命令、ならびに基地局２００のプロセッサ２１２または他の構成要素によって使用されるデータ、および／または他の情報を格納することが可能である。
【００３０】
次に、すべてのデータストリームに関する変調シンボルが、ＴＸ  ＭＩＭＯプロセッサ２０６に供給されることが可能であり、プロセッサ２０６が、これらの変調シンボルをさらに処理することが可能である（たとえば、ＯＦＤＭのために）。次に、ＴＸ  ＭＩＭＯプロセッサ２０６が、変調シンボルストリームをトランシーバ２０８Ａ〜２０８Ｎに供給することが可能である。一部の実施形態において、ＴＭ  ＭＩＭＯプロセッサ２０６は、データストリームのシンボルに、さらに／またはシンボルが送信されているアンテナ２１０Ａ〜２１０Ｎにビーム形成の重みを適用することが可能である。
【００３１】
各トランシーバ２０８Ａ〜２０８Ｎが、それぞれのシンボルストリームを受け取り、さらに処理して、１つまたは複数のアナログ信号をもたらすことが可能であり、さらにこれらのアナログ信号をさらに調整して（たとえば、増幅し、フィルタリングし、さらに／またはアップコンバートして）、ＭＩＭＯチャネルを介して送信するのに適した変調された信号をもたらすことが可能である。次に、トランシーバ２０８Ａ〜２０８Ｎからの変調された信号が、それぞれ、アンテナ２１０Ａ〜２１０Ｎから送信される。
【００３２】
ＵＥ２０１で、送信された変調された信号が、アンテナ２２８Ａ〜２２８Ｎによって受信されることが可能であり、さらに各アンテナ２２８Ａ〜２２８Ｎからの受信された信号が、それぞれのトランシーバ２２６Ａ〜２２６Ｎに供給されることが可能である。各トランシーバ２２６Ａ〜２２６Ｎが、受信されたそれぞれの信号を調整し（たとえば、フィルタリングし、増幅し、さらに／またはダウンコンバートし）、調整された信号をデジタル化してサンプルをもたらし、さらにこれらのサンプルを処理して、対応する「受信された」シンボルストリームをもたらすことが可能である。
【００３３】
次に、ＲＸデータプロセッサ２３４が、トランシーバ２２６Ａ〜２２６Ｎからの受信されたシンボルストリームを受け取り、特定の受信側処理技法に基づいて処理して、「検出された」シンボルストリームをもたらすことが可能である。次に、ＲＸデータプロセッサ２３４が、検出された各シンボルストリームを復調し、デインターリーブし、さらに復号して、そのデータストリームに関するトラフィックデータを回復することが可能である。ＲＸデータプロセッサ２３４による処理は、基地局２００におけるＴＸ  ＭＩＭＯプロセッサ２０６およびＴＸデータプロセッサ２０４によって実行される処理と相補的であることが可能である。
【００３４】
プロセッサ２３０は、いずれのプリコーディングマトリックスを使用すべきかを周期的に決定することが可能である。プロセッサ２３０は、マトリックスインデックス部分と、ランク値部分とを備える逆方向リンクメッセージを作成することが可能である。代替として、またはそれに加えて、プロセッサ２３０は、本明細書で説明される動作のうちの１つまたは複数をＵＥ２０１に実行させる効果のある、メモリ２３２上、または他のロケーションに格納されたコンピュータ実行可能命令を実行してもよい。メモリ２３２は、プログラムコードなどのコンピュータ実行可能命令、ならびにＵＥ２０１のプロセッサ２１２または他の構成要素によって使用されるデータ、および／または他の情報を格納することが可能である。
【００３５】
逆方向リンクメッセージが、ＵＥ２０１によって生成されることが可能であり、さらにＵＥ２０１と基地局２００との間の通信リンクに関する、さらに／または受信されたデータストリームに関するさまざまなタイプの情報を含むことが可能である。たとえば、逆方向リンクメッセージは、チャネル品質指標（ＣＱＩ）を含むことが可能である。逆方向リンクメッセージは、データソース２２０から１つまたは複数のデータストリームに関するトラフィックデータを受け取ることも可能なＴＸデータプロセッサ２２２によって処理され、変調器２２４によって変調され、トランシーバ２２６Ａ〜２２６Ｎによって調整され、さらに基地局２００に送り返されることが可能である。
【００３６】
基地局２００において、ＵＥ２０１からの変調された信号が、アンテナ２１０Ａ〜２１０Ｎによって受信され、トランシーバ２０８Ａ〜２０８Ｎによって調整され、復調器２１８によって復調され、さらにＲＸデータプロセッサ２１６によって処理されて、ＵＥ２０１によって送信された逆方向リンクメッセージが抽出されることが可能である。次に、プロセッサ２１２が、ビーム形成の重みを決定するためにいずれのプリコーディングマトリックスを使用すべきかを決定することが可能であり、さらに／または、次に、その抽出されたメッセージを処理することが可能である。
【００３７】
次に、ＬＴＥ無線技術のさまざまな態様を、図３〜図７Ｂに関連して説明する。図３は、本明細書で説明される少なくともいくつかの実施形態により構成された、基地局とＵＥとの間のいくつかの例示的な通信フロー３０１〜３０８を示す。通信フロー３０１〜３０８は、ＬＴＥ無線技術を実施する無線通信システムにおいて生じることが可能ないくつかの通信フローを表すことが可能である。図３で、基地局は、図１の複数の基地局および／または図２の基地局２００のうちの１つに対応することが可能である一方で、ＵＥは、図１の複数のＵＥ１０４および／または図２のＵＥ２０１のうちの１つに対応することが可能である。
【００３８】
ＵＥは、ＵＥに電源が投入されると、またはＵＥが、図１のマクロセル１０８のうちの１つなどの新たなセルに入ると、基地局との同期などの初期セル探索動作を実行することが可能である。初期セル探索中、ＵＥは、基地局から一次同期チャネル（Ｐ−ＳＣＨ）および二次同期チャネル（Ｓ−ＳＣＨ）を受信し、基地局との同期を実行し、さらにセルＩＤなどの情報を獲得することが可能である。その後、ＵＥは、セル内でブロードキャスト情報を獲得するように、基地局から物理ブロードキャストチャネル（ＰＢＣＨ）を受信することが可能である。また、ＵＥは、ダウンリンク基準信号（ＤＬＲＳ）を受信して、初期セル探索ステップにおいてダウンリンクチャネル状態を確認することも可能である。ＵＥに対するＰ−ＳＣＨ、Ｓ−ＳＣＨ、ＤＬＲＳ、およびＰＢＣＨの送信は、通信フロー３０１で示される。
【００３９】
初期セル探索の完了の後、ＵＥは、より詳細なシステム情報を獲得することが可能である。詳細には、ＵＥは、ＰＤＣＣＨを受信し、さらにこのＰＤＣＣＨの中に含められた情報に従って物理ダウンリンク共有チャネル（ＰＤＳＣＨ）を受信することが可能である。ＵＥに対するＰＤＣＣＨおよびＰＤＳＣＨの送信は、通信フロー３０２で示される。
【００４０】
一方、基地局に最初にアクセスが行われている場合、または信号送信のための無線リソースが存在しない場合、ＵＥは、通信フロー３０３〜３０６で示されるさまざまなチャネルを介した、或るデータの送受信を含むことが可能な、その基地局に関するランダムアクセス手順（ＲＡＣＨ）を実行することが可能である。たとえば、ＵＥは、通信フロー３０３および／または３０５でプリアンブルとして特定のシーケンスを、物理ランダムアクセスチャネル（ＰＲＡＣＨ）を介して送信することが可能であり、さらに通信フロー３０４および／または３０６でこのシーケンスに対応するプリアンブルの応答メッセージを、ＰＤＣＣＨおよびＰＤＳＣＨを介して受信することが可能である。図示されないものの、競合ベースのＲＡＣＨの場合、競合解決手順がさらに実行されることが可能である。
【００４１】
ＲＡＣＨの完了の後、ＵＥは、通信フロー３０７で示されるＰＤＣＣＨおよびＰＤＳＣＨを介して、さらに／または通信フロー３０８で示される物理アップリンク共有チャネル（ＰＵＳＣＨ）および物理アップリンク制御チャネル（ＰＵＣＣＨ）を介して、一般的なダウンリンク（ＤＬ）およびアップリンク（ＵＬ）の送受信を実行することが可能である。アップリンクでＵＥから基地局に送信される、またはダウンリンクで基地局からＵＥに送信される制御情報には、ダウンリンク/アップリンクの確認応答（ＡＣＫ）または否定ＡＣＫ（ＮＡＣＫ）、ＣＱＩ、プリコーディングマトリックスインデックス（ＰＭＩ）、ランク指標（ＲＩ）など、または以上の任意の組み合わせが含まれることが可能であるが、以上には限定されない。３ＧＰＰ  ＬＴＥシステムの場合、ＵＥは、ＰＵＳＣＨおよび／またはＰＵＣＣＨを介してＣＱＩ／ＰＭＩ／ＲＩなどの制御情報を送信することが可能である。
【００４２】
図４は、本明細書で説明される少なくともいくつかの実施形態により構成された、ＬＴＥネットワークにおいて実施され得るような例示的な無線フレームの概略図である。無線フレームは、等しい長さの１０のサブフレームを有する。各サブフレームは、２つのスロットを有する。３ＧＰＰＰ  ＬＴＥシステムにおいて、サブフレームは、全体的なダウンリンク周波数に関するパケットスケジューリングの基本時間単位と定義される。
【００４３】
無線フレームは、１０ミリ秒（ｍｓ）の長さを有する。各サブフレームは、１ｍｓの長さを有する。各スロットは、０．５ｍｓの長さを有する。各スロットは、時間領域において複数のＯＦＤＭシンボルを含み、さらに周波数領域において複数のリソースブロック（ＲＢ）を含む。データの伝送のための単位時間である伝送時間間隔（ＴＴＩ）は、１つまたは複数のサブフレームの単位で決定されることが可能である。図４の無線フレームのアーキテクチャは、単に例として与えられており、無線フレームに含められたサブフレームの数、サブフレームに含められたスロットの数、スロットに含められたＯＦＤＭシンボルの数、ならびに／あるいは無線フレーム、サブフレーム、および／またはスロットの長さは、さまざまに変えられることが可能である。
【００４４】
図５は、本明細書で説明される少なくともいくつかの実施形態により構成された、ダウンリンク無線フレーム５００として実施され、さらに複数のサブフレーム５０１、５０２、５０３を含む図４の無線フレームの概略図である。３つだけのサブフレーム５０１〜５０３が図５に示されるものの、ダウンリンク無線フレーム５００は、１０のサブフレーム、または他の何らかの数のサブフレームを含むことが可能である。
【００４５】
図５の例示される実施形態において、各サブフレーム５０１〜５０３は、それぞれ、制御領域５０１Ａ、５０２Ａ、５０３Ａとデータ領域５０１Ｂ、５０２Ｂ、５０３Ｂに分割される。各制御領域５０１Ａ、５０２Ａ、５０３Ａは、スケジューリング情報および他の制御情報の伝送のための時間間隔である。各データ領域５０１Ｂ、５０２Ｂ、５０３Ｂは、ダウンリンクデータの伝送のための時間間隔である。制御領域５０１Ａ、５０２Ａ、５０３Ａはそれぞれ、それぞれのサブフレーム５０１〜５０３の第１のＯＦＤＭシンボルから始まり、さらにそれぞれ、１つまたは複数のＯＦＤＭシンボルを含む。制御領域５０１Ａ、５０２Ａ、５０３Ａのサイズは、各サブフレーム５０１〜５０３に関して独立に設定されることが可能である。
【００４６】
図６は、少なくともいくつかの実施形態により構成された、図５のサブフレーム５０１のうちの１つのサブフレームの制御領域５０１Ａに含められることが可能な制御チャネルを示す。図６で、サブフレーム５０１は、０、１、２、．．．、１３とラベルが付けられた１４のＯＦＤＭシンボルを含む。最初の１つから３つのＯＦＤＭシンボルが、制御領域５０１Ａに含められ、さらに残りの１３から１１のＯＦＤＭシンボルが、データ領域５０１Ｂに含められる。図６で、Ｒ０、Ｒ１、Ｒ２、およびＲ３は、アンテナ０、１、２、および３（図示せず）に対応する基準信号（ＲＳ）またはパイロット信号を表す。ＲＳは、制御領域５０１Ａおよびデータ領域５０１Ｂにかかわらず、一定のパターンでサブフレーム５０１内に固定されることが可能である。
【００４７】
制御チャネルは、ＲＳが割り当てられていない制御領域５０１Ａ内のリソースである。同様に、トラフィックチャネルは、ＲＳが割り当てられていないデータ領域５０１Ｂ内のリソースである。これらの制御チャネルには、物理制御フォーマット標識チャネル（ＰＣＦＩＣＨ）、物理ハイブリッドＡＲＱ標識チャネル（ＰＨＩＣＨ）、１つまたは複数のＰＤＣＣＨなど、または以上の任意の組み合わせが含まれることが可能である。
【００４８】
ＰＣＦＩＣＨは、各サブフレームに関してＰＤＣＣＨにおいて使用されるＯＦＤＭシンボルの数をＵＥに知らせる。ＰＣＦＩＣＨは、第１のＯＦＤＭシンボルに配置され、さらにＰＨＩＣＨおよびＰＤＣＣＨに先立って設定される。ＰＣＦＩＣＨは、４つのリソース要素グループ（ＲＥＧ）から成り、さらにこれらのＲＥＧは、セルアイデンティティ（ＩＤ）に基づいて制御領域内に配置される。１つのＲＥＧは、４つのリソース要素（ＲＥ）から成る。ＲＥとは、１つのサブキャリアに１つのＯＦＤＭシンボルを掛けることによって定義される最小の物理リソースを指す。ＲＥＧの例示的なアーキテクチャが、後段で図７に関連して説明される。ＰＣＦＩＣＨ値は、帯域幅に応じて１から３、または２から４の値を示すことが可能であり、さらにＱＰＳＫスキームを使用して変調されることが可能である。
【００４９】
ＰＨＩＣＨは、アップリンク送信に結び付けられたハイブリッド自動再送要求（ＨＡＲＱ）ＡＣＫ／ＮＡＣＫ信号を転送するのに使用される。つまり、ＰＨＩＣＨとは、ＵＬ  ＨＡＲＱのためのＤＬ  ＡＣＫ／ＮＡＣＫ情報を送信するために使用されるチャネルを指す。ＰＨＩＣＨは、１つのＲＥＧから成り、セルごとにスクランブルされる。ＡＣＫ／ＮＡＣＫ信号は、１ビットで示され、さらにＢＰＳＫスキームを使用して変調される。変調されたＡＣＫ／ＮＡＣＫ信号は、２または４の拡散率（ＳＦ）を使用して拡散される。同一のリソースにマップされた複数のＰＨＩＣＨが、ＰＨＩＣＨグループを構成する。ＰＨＩＣＨグループの中に多重化されるＰＨＩＣＨの数は、拡散符号の数に応じて決定される。ＰＨＩＣＨ（グループ）は、周波数領域および／または時間領域におけるダイバーシティ利得を得るために３回、繰り返される。
【００５０】
ＰＤＣＣＨは、サブフレームの最初のｎ個のＯＦＤＭシンボルに割り当てられる。この場合、ｎは、１以上の整数であり、さらにＰＣＦＩＣＨによって示される。ＰＤＣＣＨは、後段で説明される１つまたは複数の制御チャネル要素（ＣＣＥ）から成る。ＰＤＣＣＨは、トランスポートチャネルのページングチャネル（ＰＣＨ）およびダウンリンク共有チャネル（ＤＬ−ＳＣＨ）のリソース割り当て、アップリンクスケジューリング許可、ＨＡＲＱ情報などに関連する情報をＵＥ、またはＵＥグループに知らせる。ＰＣＨおよびＤＬ−ＳＣＨは、ＰＤＳＣＨを介して送信される。したがって、基地局およびＵＥは、一般に、特定の制御情報または特定のサービスデータを除いて、データを、ＰＤＳＣＨを介して送受信することが可能である。
【００５１】
いずれのＵＥ（１つまたは複数のＵＥ）にＰＤＳＣＨのデータが送信されるか、およびＵＥがどのようにＰＤＳＣＨのデータを受信し、さらに復号するかを示す情報が、ＰＤＣＣＨを介して送信される。たとえば、特定のＰＤＣＣＨは、無線ネットワーク一時ＩＤ（ＲＮＴＩ）「Ａ」でＣＲＣマスクされ、さらに無線リソース（たとえば、周波数位置）を使用して送信されるデータについての情報「Ｂ」および伝送フォーマット情報（たとえば、伝送ブロックサイズ、変調スキーム、符号化情報など）「Ｃ」が、特定のサブフレームを介して送信されるものと仮定する。この場合、セル内に位置するＵＥが、そのＵＥ自らのＲＮＴＩ情報を使用してＰＤＣＣＨを監視し、「Ａ」ＲＮＴＩを有する１つまたは複数のＵＥが存在する場合、ＵＥは、ＰＤＣＣＨを受信し、さらに受信されたＰＤＣＣＨについての情報を介して、「Ｂ」および「Ｃ」によって示されるＰＤＳＣＨを受信する。
【００５２】
図７Ａおよび図７Ｂは、本明細書で説明される少なくともいくつかの実施形態により構成された、制御チャネルを構成するためのリソース単位を概略で示す図である。図７Ａは、送信アンテナの数が１つ、または２つである例を示し、さらに図７Ｂは、送信アンテナの数が４つである例を示し、これらの例は、送信アンテナの数に応じてＲＳパターンだけが互いに異なるが、制御チャネルに関連付けられたリソース単位を設定する方法は互いに等しい。
【００５３】
図７Ａおよび図７Ｂを参照すると、制御チャネルの基本リソース単位であるＲＥＧが、ＲＳを除外する状態にある隣接する４つのＲＥから成る。各ＲＥＧは、図７Ａ〜図７Ｂにおいて比較的太い輪郭で表される。ＰＣＦＩＣＨは、４つのＲＥＧを含み、さらにＰＨＩＣＨは、３つのＲＥＧを含む。ＰＤＣＣＨは、複数のＣＣＥ単位から成り、さらに１つのＣＣＥは、９つのＲＥＧを含む。
【００５４】
ＵＥは、Ｌ個のＣＣＥから成るＰＤＣＣＨがＵＥに送信されたかどうかを判定するために、ＰＤＣＣＨ候補、Ｍ（Ｌ）の数が、連続的に、または或る特定の規則に従って配置されたＬ個以上のＣＣＥであることを確認するように設定されることが可能である。ＵＥがＰＤＣＣＨを受信した場合に考慮される値Ｌは、複数であることが可能である。ＵＥがＰＤＣＣＨを受信した場合に確認されるべきＣＣＥのセットは、ＰＤＣＣＨ探索空間と呼ばれる。たとえば、ＬＴＥシステムにおいて、ＰＤＣＣＨ探索空間は、表１に示されるとおり定義される。
【００５５】
【表１】
0005793238.tif 000002
【００５６】
Ｌは、ＰＤＣＣＨを構成するＣＣＥの数を表し、Ｓｋ（Ｌ）は、ＰＤＣＣＨ探索空間を表し、さらにＭ（Ｌ）は、探索空間内で監視されるべきＰＤＣＣＨ候補の数を表す。
【００５７】
ＰＤＣＣＨ探索空間は、特定のＵＥだけがアクセスを許される特定の探索空間と、セル内のすべてのＵＥがアクセスを許される共通の探索空間に分けられることが可能である。ＵＥは、Ｌ＝４および８で共通の探索空間を監視し、さらにＬ＝１、２、４および８で特定の探索空間を監視する。共通の探索空間と特定の探索空間は、互いに重なり合うことが可能である。
【００５８】
次に、ＰＤＣＣＨなどの制御チャネルのパワー制御と関係するさまざまな例示的な方法を、図８Ａ〜図９に関連して説明する。
【００５９】
図８Ａは、本明細書で説明される少なくともいくつかの実施形態により構成された、無線通信システムにおける制御チャネルのパワー制御のための方法８００の例示的な流れ図を示す。方法８００は、たとえば、図１の複数の基地局１０２、および／または図２の基地局２００のうちの１つによって全体が、または部分的に実行されることが可能である。方法８００は、ブロック８０２および／または８０４のうちの１つまたは複数によって示されるさまざまな動作、機能、またはアクションを含む。方法８００は、ブロック８０２で始まることが可能である。
【００６０】
ブロック８０２「ＰＤＣＣＨの共通の探索空間内で第１のスケジューリングデータを第１の送信パワーで送信する」で、ＰＤＣＣＨの共通の探索空間内の第１のスケジューリングデータが、第１の送信パワーで送信される。第１のスケジューリングデータには、システム情報ブロック（ＳＩＢ）、および／またはページング情報が含まれることが可能であるが、以上には限定されない。一部の実施形態において、第１のスケジューリングデータは、図２の基地局２００のトランシーバ２０８Ａ〜２０８Ｎ内に含まれる送信機の１つまたは複数によって、さらに／またはアンテナ２１０Ａ〜２１０Ｎのうちの１つまたは複数によって第１の送信パワーで送信される。ブロック８０２の後にブロック８０４が続くことが可能である。
【００６１】
ブロック８０４「ＰＤＣＣＨの特定の探索空間内で第２のスケジューリングデータを第２の送信パワーで送信する」で、ＰＤＣＣＨの特定の探索空間内の第２のスケジューリングデータが、第２の送信パワーで送信される。第２のスケジューリングデータには、特定のＵＥに関連するトラフィックデータ、または他のスケジューリングデータが含まれることが可能であるが、以上には限定されない。一部の実施形態において、第２のスケジューリングデータは、図２の基地局２００のトランシーバ２０８Ａ〜２０８Ｎ内に含まれる送信機の１つまたは複数によって、さらに／またはアンテナ２１０Ａ〜２１０Ｎのうちの１つまたは複数によって第２の送信パワーで送信される。
【００６２】
本明細書で開示される一部の実施形態は、図８Ａのブロック８０２および／または８０４で示される動作、および／またはそれらの動作の変種などの、図８Ａの方法８００に含まれる動作を実行するようにコンピューティングデバイスによって実行可能なコンピュータ実行可能命令が格納されているコンピュータ可読記憶媒体を含む。これら、およびその他の実施形態において、コンピューティングデバイスは、基地局に含められることが可能である。たとえば、コンピューティングデバイスは、図２の基地局２００に含まれるプロセッサ２１２を含むことが可能である。代替として、またはそれに加えて、コンピュータ可読記憶媒体には、図２の基地局２００に含まれるメモリ２１４を含むことが可能である。
【００６３】
本明細書で開示されるこのプロセスおよび方法、ならびにその他のプロセスおよび方法に関して、これらのプロセスおよび方法において実行される機能は、異なる順序で実施されてもよいことが当業者には認識されよう。さらに、概説したステップおよび動作は、単に例として与えられており、さらにステップおよび動作のうちのいくつかは、開示される実施形態の本質を逸脱することなく、オプションであること、組み合わされて、より少ない数のステップおよび動作にされること、または拡張されて、さらなるステップおよび動作にされることが可能である。
【００６４】
たとえば、図８Ａの方法８００は、１つまたは複数の第１の基準に基づいて第１の送信パワーの大きさを決定することをさらに含むことが可能である。第１の送信パワーの大きさを決定するための例示的な方法に関するさらなる詳細は、図９に関連して後段で説明する。１つまたは複数の第１の基準は、基地局の環境、基地局のカバレッジ半径、または基地局のカバレッジ要件のうちの少なくとも１つを含むことが可能である。
【００６５】
代替として、またはそれに加えて、図８Ａの方法８００は、第１の基準とは独立の１つまたは複数の第２の基準に基づいて第２の送信パワーの大きさＰｉを決定することをさらに含むことが可能である。１つまたは複数の第２の基準は、第２のスケジューリングデータが関連付けられた特定のＵＥから受信されるＣＱＩを含むことが可能である。これら、およびその他の実施形態において、方法８００は、ＵＥからＣＱＩを受信することをさらに含むことが可能である。たとえば、このＣＱＩは、図２の基地局２００のトランシーバ２０８Ａ〜２０８Ｎ内に含まれる受信機の１つまたは複数によって、さらに／またはアンテナ２１０Ａ〜２１０Ｎのうちの１つまたは複数によって受信されることが可能である。代替として、またはそれに加えて、第２の送信パワーの大きさＰｉは、ＵＥから受信されるＣＱＩの大きさに反比例することが可能である。
【００６６】
一部の実施形態において、ＣＱＩは、セル内のＵＥによって、対応する基地局に定常的に送信される。ＬＴＥシステムにおいて、ＣＱＩは、０から１５までの範囲の整数のうちのいずれか１つを含む、可能な１６の等級のうちのいずれか１つであり得る。より一般的には、ＣＱＩに関する可能な大きさには、ＣＱＩ０、ＣＱＩ１、ＣＱＩ２、．．．、ＣＱＩＬが含まれることが可能であり、ただし、ｉ＝１、２、．．．、Ｌに関してＣＱＩｉ−１＜ＣＱＩｉである。比較的高いＣＱＩ等級は、基地局と対応するＵＥとの間の比較的高いワイヤレスチャネル品質を示すことが可能である一方で、比較的低いＣＱＩ等級は、比較的低いワイヤレスチャネル品質を示すことが可能である。
【００６７】
可能なＣＱＩ等級は、以下を含む異なるＬ個のセットＳｉに分けられることが可能である。すなわち、
Ｓ１：ＣＱＩ∈［ＣＱＩ０、ＣＱＩ１）
Ｓ２：ＣＱＩ∈［ＣＱＩ１、ＣＱＩ２）
．．．
ＳＬ：ＣＱＩ∈［ＣＱＩＬ−１、ＣＱＩＬ］
【００６８】
これら、およびその他の実施形態において、第２の送信パワーの大きさＰｉを決定することは、受信されたＣＱＩを、前述した定義に従って異なるＬ個のセットＳｉのうちの１つに割り当て、さらに、次に、Ｐｉ−１＞Ｐｉであるセット｛Ｐ１、Ｐ２、．．．、ＰＬ｝を含む一組の値から第２の送信パワーの対応する大きさＰｉを選択することを含むことが可能である。
【００６９】
このため、ＵＥから受信されるＣＱＩが高いほど、第２の送信パワーに関する決定される大きさＰｉは小さい。たとえば、ＵＥから受信されたＣＱＩが最高のＣＱＩであるＣＱＩＬである場合、ＵＥから受信されたこのＣＱＩが、セットＳＬに割り当てられ、次に、セット｛Ｐ１、Ｐ２、．．．、ＰＬ｝から対応する値ＰＬが選択され、ただし、値ＰＬは、セット｛Ｐ１、Ｐ２、．．．、ＰＬ｝の中の最小の値である。
【００７０】
言い換えると、ＵＥから受信されたＣＱＩが低いほど、第２の送信パワーに関する決定される大きさＰｉは大きい。たとえば、ＵＥから受信されたＣＱＩが最低のＣＱＩであるＣＱＩ０である場合、ＵＥから受信されたこのＣＱＩが、セットＳ１に割り当てられ、次に、セット｛Ｐ１、Ｐ２、．．．、ＰＬ｝から対応する値Ｐ１が選択され、ただし、値Ｐ１は、セット｛Ｐ１、Ｐ２、．．．、ＰＬ｝の中の最大の値である。
【００７１】
必須ではないが、セット｛Ｐ１、Ｐ２、．．．、ＰＬ｝の中の値は、互いに約２ｄＢｍ間隔であることが可能である。より一般的には、一部の実施形態において、セット｛Ｐ１、Ｐ２、．．．、ＰＬ｝の中の値の間隔は、０ｄＢｍから約４ｄＢｍまでの範囲内、または約１ｄＢｍから約３ｄＢｍまでの範囲内であることが可能である。代替として、またはそれに加えて、最大の値Ｐ１は、約４０ｄＢｍ、さらに／または最小の値ＰＬは、約２５ｄＢｍであることが可能である。より一般的には、最大の値Ｐ１は、約３０ｄＢｍから約５０ｄＢｍまでの範囲内、または約３５ｄＢｍから約４５ｄＢｍまでの範囲内にあることが可能であり、さらに／または最小の値ＰＬは、約１５ｄＢｍから約３５ｄＢｍまでの範囲内、または約２０ｄＢｍから約３０ｄＢｍまでの範囲内にあることが可能である。
【００７２】
これら、およびその他の実施形態において、受信されたＣＱＩが、第１のＣＱＩであることが可能であり、さらに図８Ａの方法８００が、ＵＥから、第１のＣＱＩより高い第２のＣＱＩを受信すること、および第２のＣＱＩに応答して第２の送信パワーを低減することをさらに含むことが可能である。代替として、またはそれに加えて、図８Ａの方法８００は、ＵＥから、第１のＣＱＩより低い第２のＣＱＩを受信すること、および第２のＣＱＩに応答して第２の送信パワーを増加させることをさらに含むことが可能である。
【００７３】
図８Ｂは、本明細書で説明される少なくともいくつかの実施形態により構成された、無線通信システムにおける制御チャネルのパワー制御のための別の方法８５０の例示的な流れ図を示す。方法８５０は、たとえば、図１の複数の基地局１０２、および／または図２の基地局２００のうちの１つによって全体が、または部分的に実行されることが可能である。より詳細には、方法８５０は、図２の基地局２００のプロセッサ２１２および／または他の構成要素によって実行されることが可能である。方法８５０は、ブロック８５２および／または８５４の１つまたは複数によって例示されるさまざまな動作、機能、またはアクションを含む。方法８５０は、ブロック８５２で始まることが可能である。
【００７４】
ブロック８５２「基地局において送信に先立って、ＰＤＣＣＨの共通の探索空間内で第１のスケジューリングデータを送信するための第１の送信パワーの大きさを決定する」で、ＰＤＣＣＨの共通の探索空間内で第１のスケジューリングデータを送信するための第１の送信パワーの大きさが、基地局において送信に先立って決定される。前述したとおり、第１のスケジューリングデータには、ＳＩＢおよび／またはページング情報が含まれることが可能であるが、以上には限定されない。一部の実施形態において、第１の送信パワーの大きさは、図２の基地局２００のプロセッサ２１２によって決定される。代替として、またはそれに加えて、第１の送信パワーの大きさの決定は、基地局の環境、基地局のカバレッジ半径、または基地局のカバレッジ要件のうちの少なくとも１つに基づくことが可能である。第１の送信パワーの大きさを決定するための例示的な方法に関するさらなる詳細は、図９に関して後段で説明される。ブロック８５２の後にブロック８５４が続くことが可能である。
【００７５】
ブロック８５４「基地局において送信に先立って、特定のＵＥに関連付けられたＰＤＣＣＨの特定の探索空間内で第２のスケジューリングデータを送信するための第２の送信パワーの大きさを独立に決定する」で、特定のＵＥに関連付けられたＰＤＣＣＨの特定の探索空間内で第２のスケジューリングデータを送信するための第２の送信パワーの大きさが、基地局において送信に先立って決定される。前述したとおり、第２のスケジューリングデータには、特定のＵＥに関連するトラフィックデータまたは他のスケジューリングデータが含まれることが可能であるが、以上には限定されない。一部の実施形態において、第２の送信パワーの大きさは、図２の基地局２００のプロセッサ２１２によって決定される。代替として、またはそれに加えて、第２の送信パワーの大きさの決定は、その特定のＵＥから受信されるＣＱＩに基づくことが可能である。
【００７６】
本明細書で開示される一部の実施形態は、図８Ａのブロック８０２および／または８０４で示される動作、および／またはそれらの動作の変形などの、図８Ｂの方法８５０に含まれる動作を実行するようにコンピューティングデバイスによって実行可能なコンピュータ実行可能命令が格納されているコンピュータ可読記憶媒体を含む。これら、およびその他の実施形態において、コンピューティングデバイスは、基地局に含められることが可能である。たとえば、コンピューティングデバイスには、図２の基地局２００に含まれるプロセッサ２１２を含むことが可能である。代替として、またはそれに加えて、コンピュータ可読記憶媒体には、図２の基地局２００に含まれるメモリ２１４を含むことが可能である。
【００７７】
図示されないものの、図８Ｂの方法８５０は、その特定のＵＥからＣＱＩを受信することをさらに含むことが可能である。たとえば、このＣＱＩは、図２の基地局２００のトランシーバ２０８Ａ〜２０８Ｎ内に含まれる受信機の１つまたは複数によって、さらに／またはアンテナ２１０Ａ〜２１０Ｎのうちの１つまたは複数によって受信されることが可能である。前述したとおり、ＣＱＩに関する可能な大きさには、ＣＱＩ０、ＣＱＩ１、ＣＱＩ２、．．．、ＣＱＩＬが含まれることが可能であり、ただし、ｉ＝１、２、．．．、Ｌに関してＣＱＩｉ−１＜ＣＱＩｉである。これら、およびその他の実施形態において、比較的高いＣＱＩ等級は、基地局とその特定のＵＥとの間の比較的高いワイヤレスチャネル品質を示すことが可能である一方で、比較的低いＣＱＩ等級は、比較的低いワイヤレスチャネル品質を示すことが可能である。
【００７８】
オプションとして、ブロック８５４で第２の送信パワーの大きさを決定することは、図８Ａに関連して前段で既に説明したとおり、その特定のＵＥから受信されたＣＱＩを、前述した定義に従ってセットＳｉに割り当て、さらに、次に、割り当てられたセットＳｉに関して、Ｐｉ−１＞Ｐｉである｛Ｐ１、Ｐ２、．．．、ＰＬ｝を含む１組の値から第２の送信パワーの対応する大きさＰｉを選択することを含むことが可能である。
【００７９】
これら、およびその他の実施形態において、受信されたＣＱＩが、第１の時点で受信された第１のＣＱＩであることが可能であり、さらに図８Ｂの方法８５０が、ＵＥから、第２の時点で第１のＣＱＩより高い第２のＣＱＩを受信すること、および第２のＣＱＩに応答して第２の送信パワーを低減することをさらに含むことが可能である。代替として、またはそれに加えて、図８Ｂの方法８５０は、ＵＥから、第１のＣＱＩより低い第２のＣＱＩを受信すること、および第２のＣＱＩに応答して第２の送信パワーを増加させることをさらに含むことが可能である。
【００８０】
図９は、本明細書で説明される少なくともいくつかの実施形態により構成された、ＰＤＣＣＨの共通探索空間内のデータに関する送信パワーの大きさを決定するための方法９００の例示的な流れ図を示す。方法９００は、たとえば、図１の複数の基地局１０２、および／または図２の基地局２００のうちの１つによって全体が、または部分的に実行されることが可能である。方法９００は、ブロック９０２、９０４、９０６、９０８、９１０、および／または９１２のうちの１つまたは複数によって例示されるさまざまな動作、機能、またはアクションを含む。方法９００は、ブロック９０２で始まることが可能である。
【００８１】
ブロック９０２「受信機の復調能力に基づいて、受信機目標ＳＮＲを決定する」で、受信機目標信号対雑音比（ＳＮＲ）が、受信機の復調能力に基づいて決定される。ブロック９０２の後にブロック９０４が続くことが可能である。
【００８２】
ブロック９０４「基地局に関連するセルに関するチャネル伝搬モデルを決定する」で、基地局に関連するセルに関するチャネル伝搬モデルが決定される。ブロック９０４の後にブロック９０６が続くことが可能である。
【００８３】
ブロック９０６「決定されたチャネル伝搬モデルに基づいて、セル内のシャドウフェージングおよび高速フェージングの大きさを計算する」で、セル内のシャドウフェージングおよび高速フェージングの大きさが、決定されたチャネル伝搬モデルに基づいて計算される。ブロック９０６の後にブロック９０８が続くことが可能である。
【００８４】
ブロック９０８「決定されたチャネル伝搬モデル、および基地局のカバレッジ半径に基づいて、セル内のパス損失を計算する」で、セル内のパス損失が、決定されたチャネル伝搬モデル、および基地局のカバレッジ半径に基づいて計算される。ブロック９０８の後にブロック９１０が続くことが可能である。
【００８５】
ブロック９１０「基地局のアンテナ構成に基づいて、アンテナ利得、ケーブル損失、侵入損失（penetration loss）、および人間による消費の損失（human consumption loss）を計算する」で、アンテナ利得、ケーブル損失、侵入損失、および人間による消費の損失が、基地局のアンテナ構成に基づいて計算される。ブロック９１０の後にブロック９１２が続くことが可能である。
【００８６】
ブロック９１２「第１の送信パワーの大きさを計算する」で、第１の送信パワーの大きさが、計算される。一部の実施形態において、第１の送信パワーの大きさは、以下の式に従って計算される。すなわち、
Ｐ＝ＳＮＲ＋シャドウフェージング＋高速フェージング＋パス損失−アンテナ利得＋ケーブル損失＋侵入損失＋人間の消費による損失＋雑音
ただし、Ｐは、第１の送信パワーの計算される大きさであり、雑音は、熱雑音および雑音指数を含み、熱雑音は、定数であり、さらに雑音指数は、３〜８デシベルの範囲内である。
【００８７】
このため、本明細書で説明されるいくつかの実施形態によれば、基地局は、ＰＤＣＣＨの共通の探索空間とＰＤＣＣＨの特定の探索空間に関して異なる送信パワーを選択することが可能である。さらに、ＰＤＣＣＨの特定の探索空間に関する送信パワーは、対応するＵＥと基地局との間のチャネル品質に基づいて適切に選択されることが可能である。このため、一部の実施形態において、隣接するセル間の強いＰＤＣＣＨ干渉が低減されることが可能であり、さらにＵＥがＰＤＣＣＨを復号する成功率が向上させられることが可能である。したがって、システムリソース利用率およびユーザ満足度が、本明細書で説明される実施形態のいくつかを実施することによって向上する可能性がある。
【００８８】
本開示は、さまざまな態様の例示として意図されている、本明細書において説明される特定の実施形態に関して限定されるべきではない。当業者には明白となるとおり、本開示の趣旨および範囲を逸脱することなく、多くの変形および変更が行われることが可能である。本明細書で列挙される方法および装置に加えて、本開示の範囲に含まれる機能的に均等の方法および装置が、以上の説明から当業者には明白となろう。そのような変形および変更は、添付の特許請求の範囲に含まれることが意図される。本開示は、添付の特許請求の範囲、ならびにそのような特許請求の範囲に認められる均等物の完全な範囲に関してのみ限定されるべきものである。本開示は、無論、さまざまであることが可能な、特定の方法、試薬、化合物、組成物、または生物系に限定されないことを理解されたい。また、本明細書で使用される用語は、特定の実施形態を説明することだけを目的としており、限定することは意図していないことも理解されたい。
【００８９】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【００９０】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（たとえば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステ���を含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【００９１】
さらに、本開示の特徴または態様が、マーカッシュグループの点で説明される場合、本開示は、その結果、マーカッシュグループの任意の個別の要素、またはマーカッシュグループの要素のサブグループの点でも説明されることが当業者には認識されよう。
【００９２】
当業者には理解されるとおり、書面の説明を与えることに関してなど、すべての点で、本明細書で開示されるすべての範囲は、それらの範囲の可能なすべての部分的範囲、および部分的範囲の組み合わせも包含する。リストアップされる範囲は、少なくとも等しい１／２の部分、１／３の部分、１／４の部分、１／５の部分、１／１０の部分に細分された同一の範囲を十分に説明するとともに、可能にするものと容易に認識され得る。限定的でない例として、本明細書で説明される各範囲は、下１／３、中１／３、および上１／３に容易に細分され得る。当業者にはやはり理解されるとおり、「〜まで」「少なくとも〜」などのすべての言い回しは、記載される数を含むとともに、前述したとおり、その後、部分的範囲に細分され得る範囲を指す。最後に、当業者には理解されるとおり、範囲は、個別の各要素を含む。このため、たとえば、１〜３のセルを有するグループとは、１つ、２つ、または３つのセルを有するグループを指す。同様に、１〜５のセルを有するグループとは、１つ、２つ、３つ、４つ、または５つのセルを有するグループを指すといった具合である。
【００９３】
以上のことから、本開示のさまざまな実施形態が、例示の目的で本明細書において説明されてきたこと、および本開示の範囲および趣旨を逸脱することなく、さまざまな変形が行われてもよいことが認識されよう。したがって、本明細書で開示されるさまざまな実施形態は、限定することを意図しておらず、真の範囲および趣旨は、添付の特許請求の範囲によって示されている。
【図１】
0005793238.tif 000003
【図２】
0005793238.tif 000004
【図３】
0005793238.tif 000005
【図４】
0005793238.tif 000006
【図５】
0005793238.tif 000007
【図６】
0005793238.tif 000008
【図７Ａ】
0005793238.tif 000009
【図７Ｂ】
0005793238.tif 000010
【図８Ａ】
0005793238.tif 000011
【図８Ｂ】
0005793238.tif 000012
【図９】
0005793238.tif 000013